(57)【要約】【目的】  設定画面上で複数に分割設定された領域に各種計測データを表示するとともに、同一の設定画面上で分割された領域の表示形態をプレビュー表示する。【構成】  記録計の各種計測データを表示する表示画面上の設定キーを選択してレイアウト設定画面３１を表示させる。レイアウト設定画面３１の基本分割方法入力項目３２で分割方法を設定し、領域設定入力項目３３で分割数を設定すると、その設定内容に基づく表示形態が同一画面上の領域プレビュー３４にプレビュー表示される。分割方法と分割数を変更すると、その都度プレビュー表示が更新され、選択キー３５の「適用」を押下すると、設定内容が決定される。【選択図】    図１
2005134201.tif 000002
【特許請求の範囲】
【請求項１】
一画面を複数の領域に分割し、この分割された各領域に各種計測データが表示可能な記録計において、
設定された分割領域に対応した表示形態のプレビューを表示するレイアウト設定画面を備えたことを特徴とする記録計。
【請求項２】
前記レイアウト設定画面は、表示形態の分割方法を設定するための基本分割方法入力項目と、
前記基本分割方法入力項目で設定された分割方法における分割数を設定するための領域設定入力項目と、
前記基本分割方法入力項目の分割方法と前記領域設定入力項目の分割数による設定に決定する選択キーと、
前記選択キーで決定された設定内容による表示形態をプレビュー表示する領域プレビューとを備えたことを特徴とする請求項１記載の記録計。
【発明の詳細な説明】
【技術分野】
【０００１】
本発明は、例えば熱電対や測温抵抗体などの温度検出素子からの温度信号、接点信号、電圧信号などによる外部からの計測データを記録する記録計に係り、特に、計測データを複数の領域に分割して表示する際に分割領域のおおよその表示形態を視認できる記録計に関するものである。
【背景技術】
【０００２】
従来、ペーパーレス記録計などの記録計は、熱電対や測温抵抗体などの温度検出素子からの温度信号を複数の端子部から取り込んで、これらの温度データを電気信号に変換して計測時間の経過に伴う計測結果を２次元表示器にて表示する。これにより、計測結果を記録紙に印字する記録計で必要とされていた記録紙などの消耗品に伴う工数とコストが大幅に削減され、記録紙などの機構を制御する際により高性能にするために必要な複雑な制御構成がなくなり煩わしさが解消される。また、計測記録を必要とする場合には、計測結果をメモリカードなどの記憶手段やフロッピー（Ｒ）ディスクやフラッシュメモリなどの外部記憶媒体に記録して計測結果を記憶し処理を行なうというものが広く用いられている。
【０００３】
図６は、従来のペーパーレス記録計における表示画面の具体例であり、表示形態の異なる４つの画面を組み合わせた複数画面モードの例を示している。なお、図６において表示画面中に表示される測定データなどのデータ内容は省略している。
【０００４】
図６に示すように、表示画面５１は、上部領域５２と下部領域５３を有している。上部領域５２には、下部領域５３に表示される画面の名称、現在の年月日時刻、表示用メモリおよび測定データ用メモリの使用量をそれぞれ個別に示すバーグラフ、表示用メモリに取り込み可能な残り時間、演算処理中を知らせるアイコン、アラーム発生の有無を知らせるアイコンなどが表示される。
【０００５】
図６において、下部領域５３は、左上・右上・左下・右下の４つの領域に分割されている。この下部領域５３の各領域には、所望の表示形態画面を任意に割り当てることができる。例えば、左上領域には第１グループのデジタル画面、右上領域にはオーバービュー画面、左下領域には第１グループのトレンド画面、右下領域には第１グループのバーグラフ画面を割り当てて同時表示させることができる。これら４つの画面は、それぞれの表示形態で連動しながら測定値の変化状態を逐次表示する。なお、４分割された各画面の上部にはタイトルバーが設けられており、操作対象として選択した画面のタイトルバーを反転表示させるようになっている。
【０００６】
このように、測定結果を表示する際、ユーザの目的に応じて画面を複数の領域に分割して同時に表示する記録計としては、下記特許文献１に開示されたものが知られている。
【特許文献１】特開２００１−２１３８６号公報
【発明の開示】
【発明が解決しようとする課題】
【０００７】
ところで、特許文献１や図６に示す従来の記録計において、計測データを複数の領域に等分割する場合には、領域の分割数を設定すればよい。これに対し、表示領域を異なる面積で分割する場合には、領域の分割数だけでなく、領域の縦横寸法や寸法比を設定する必要がある。しかも、実際の表示結果は、領域設定を行った後、実際に計測データを表示させ、各計測データが表示画面上に対してどのような表示形態で分割表示されているかを確認しなければならなかった。このため、実際の表示形態を見て、所望とする表示領域に分割されていない場合には、再度設定をやり直す必要が有り、設定に手間を要し、作業を円滑に進行することができなかった。
【０００８】
そこで、本発明は上記問題点に鑑みてなされたものであり、表示画面に表示される計測データを所望の分割領域による表示形態で自由に設定でき、この設定画面上でおおよその表示形態を視認することができる記録計を提供することを目的とするものである。
【課題を解決するための手段】
【０００９】
上記した目的を達成するために、請求項１記載の記録計は、一画面を複数の領域に分割し、この分割された各領域に各種計測データが表示可能な記録計において、
設定された分割領域に対応した表示形態のプレビューを表示するレイアウト設定画面を備えたことを特徴とする。
【００１０】
請求項２記載の記録計は、請求項１記載の記録計において、
前記レイアウト設定画面は、表示形態の分割方法を設定するための基本分割方法入力項目と、
前記基本分割方法入力項目で設定された分割方法における分割数を設定するための領域設定入力項目と、
前記基本分割方法入力項目の分割方法と前記領域設定入力項目の分割数による設定に決定する選択キーと、
前記選択キーで決定された設定内容による表示形態をプレビュー表示する領域プレビューとを備えたことを特徴とする。
【発明の効果】
【００１１】
以上説明したように本発明によれば、計測データを表示画面上に表示するにあたって、所望の分割数で表示領域を設定画面上で設定した際、この設定画面上でおおよその表示形態を視認することができる。これにより、計測データを複数の領域に分割表示する場合の設定が容易に行え、表示構成の自由度が増し、ユーザの作業効率を向上させる効果を奏する。
【００１２】
しかも、設定画面上におおよその表示形態が表示されるので、各計測データが表示画面上のどの位置に表示されているかを事前に確認することができ、同一画面上で所望の表示領域による設定と確認が容易に行え、操作性が向上する。
【発明を実施するための最良の形態】
【００１３】
以下、本発明の実施の形態を図面を参照しながら具体的に説明する。図１は本発明に係る記録計において表示形態を設定する際のレイアウト設定入力画面の一例を示す図、図２は図１に示すレイアウト設定画面を表示させるための設定画面の一例を示す図、図３は図１のレイアウト設定画面で表示形態を設定した場合の表示例を示す図、図４は本発明に係る記録計の電気的構成を示すブロック図、図５は本発明に係る記録計の概略構成図である。
【００１４】
まず、本例の記録計の概略構成について図４及び図５を参照しながら説明する。本例の記録計１は、例えば熱電対や測温抵抗体などの外部の温度検出素子からの温度信号を複数の端子部から取込み、これらの温度データを電気信号に変換して計測時間の経過に伴う計測結果を２次元表示するものであり、図５に示すように、ＬＡＮケーブル２を用いてイーサネット（Ｒ）によりネットワーク接続されたデータ収録装置３と端末装置４を備えて構成される。
【００１５】
図４に示すように、データ収録装置３は、設定手段１１、入出力手段１２、記憶手段１３、制御手段１４を備えている。
【００１６】
設定手段１１は、データ収録に関する各種設定を行っている。この設定手段１１で設定される各種設定情報は制御手段１４に入力される。なお、この設定手段１１による各種設定は、ネットワーク又はシリアル通信により行う他、例えばユーザのキー操作により手動で設定することができる。
【００１７】
入出力手段１２は、Ｉ／Ｏインターフェースであり、例えば熱電対や測温抵抗体などの温度検出素子からの温度信号の他、接点信号や電圧信号などの各種入力信号を各チャンネル毎に入力している。このチャンネル毎の各種入力信号は、図５示す通信ケーブル１５によりネットワーク接続された複数の入力モジュール１６を介して取り込む他、直接入出力手段１２からも取り込み可能となっている。また、入出力手段１２は、データ収録装置３に対し、後述する端末装置４からブラウザ（ＷＷＷブラウザ、Internet Explorer （Ｒ）、Netscape（Ｒ）、ビューアなどのソフト）の起動により収録データの閲覧要求があったときに、記憶手段１３に記憶された各チャンネル毎の計測データをＬＡＮケーブル２を介して端末装置４に出力している。
【００１８】
記憶手段１３は、例えばＲＯＭ，ＲＡＭなどで構成される。この記憶手段１３には、データ収録の処理に関する各種処理プログラムが記憶されている。また、記憶手段１３には、入出力手段１２から入力される各チャンネル毎の入力信号を計測データとして記憶している。なお、この記憶手段１３は、各チャンネル毎の計測データを記憶するものとして、本体に着脱可能な外部記憶媒体も含む。
【００１９】
制御手段１４は、例えばＣＰＵなどのマイクロプロセッサで構成され、設定手段１１に設定された各種設定情報と記憶手段１３に格納された各種処理プログラムに基づいてデータ収録に関する処理と端末装置４からの収録データの閲覧要求に対する処理を制御している。具体的には、各チャンネル毎の入力信号を入出力手段１２から取り込む制御、各チャンネル毎の入力信号を計測データとして記憶手段１３に記憶する制御、端末装置４から収録データの閲覧要求時に記憶手段１３に記憶された計測データを端末装置４に出力する制御などを行っている。
【００２０】
図４に示すように、端末装置４は、設定手段２１、入出力手段２２、記憶手段２３、表示手段２４、制御手段２５を備えている。
【００２１】
設定手段２１は、例えばユーザにより手動操作されるキーボードやマウスなどで、チャンネル選択の他、表示手段２４の表示画面２４ａ上に表示する各チャンネル毎の計測データを所望の表示形態で表示を行う際の各種設定を行っている。具体的には、表示手段２４の表示画面２４ａ上に各チャンネル毎の計測データを所望の表示形態で表示するためのブラウザの起動、表示画面２４ａ上にチャート表示する計測データのチャンネル数の設定、各チャンネルの計測レンジを示すスケールの範囲設定、各チャンネルの表示色の設定、各計測データを複数の分割領域で表示する場合の表示形態の設定などを行っている。この設定手段２１で設定される各種設定情報は制御手段２５に入力される。また、設定手段２１は、図３に示すように、表示に関する各種設定を行うための設定キー３７を表示画面２４ａに有しており、この設定キー３７を押下すると、図２に示すような「データ設定」、「トレンド設定」、「レイアウト変更」、「開始・停止」、「設定管理」などの設定項目３６が階層表示される。そして、これら設定項目３６のいずれかを選択し、設定画面を表示させて必要な設定を行う。これにより、ユーザが用途に応じて表示形態を変更できるように表示画面の設定が行えるようになっている。
【００２２】
入出力手段２２は、Ｉ／Ｏインターフェースであり、データ収録装置３に収録された計測データを所望の表示形態で表示する際に計測データの閲覧要求を示す信号を出力し、この閲覧要求に対してデータ収録装置３から送られる各チャンネル毎の計測データを入力している。
【００２３】
記憶手段２３は、例えばＲＯＭ，ＲＡＭの他、例えばコンパクトフラッシュ（Ｒ）メモリカードのような外部記憶媒体などで構成される。この記憶手段２３には、ＬＡＮケーブル２を介してデータ収録装置３の記憶手段１３から取り込んだ収録データの表示処理に関する各種処理プログラムが記憶されている。また、記憶手段２３は、入出力手段２２から入力される各チャンネル毎の計測データを記憶している。さらに、記憶手段２３は、チャンネル選択手段２１ａが操作される前後の表示データを記憶している。
【００２４】
表示手段２４は、データ収録装置３に収録された各チャンネル毎の計測データを、制御手段２５の制御によりブラウザを用いて設定手段２１により設定される表示形態（例えば図３に示す表示形態）で表示画面２４ａに表示している。
【００２５】
制御手段２５は、例えばＣＰＵなどのマイクロプロセッサで構成され、設定手段２１により設定された各種設定情報と記憶手段２３に格納された各種処理プログラムに基づいて各チャンネル毎の計測データの各種表示に関する処理を制御している。
【００２６】
このように、端末装置４のブラウザを起動させて計測データの表示を実行すると、データ収録装置３によって収録された各チャンネル毎の計測データが、設定手段２１により設定された表示形態（例えば図３に示す表示フォーマットによる表示形態）で表示手段２４の表示画面２４ａ上に表示される。
【００２７】
次に、上記構成の記録計１を用いて各種計測データを複数の領域に分割して表示手段２４に表示させる場合の設定操作について、図１及び図２に示す設定画面を参照しながら説明する。
【００２８】
図１に示すように、レイアウト設定画面３１は、分割方法を設定するための基本分割方法入力項目３２と、基本分割方法入力項目３２で決定した分割方法において分割数を設定するための領域設定入力項目３３と、分割方法と分割数を設定した後に設定領域を簡易的に表示する領域プレビュー３４と、各種設定した内容を決定する選択キー３５とを有して構成されている。
【００２９】
基本分割方法入力項目３２は、表示画面２４ａの分割パターンを設定する項目である。基本分割方法入力項目３２には、「分割なし」、「左右」、「上下」と３つの選択項目が設けられる。各選択項目にはチェックボックスが設けられており、選択項目に並設されているいずれか一つのチェックボックスを例えばマウスのクリック操作などで選択することにより選択項目が選択される。そして、「分割なし」を選択した場合は、表示画面２４ａが分割されない。「左右」を選択した場合は、表示画面２４ａを左右に分割する。「上下」を選択した場合は、表示画面２４ａを上下に分割する。
【００３０】
領域設定入力項目３３は、基本分割方法入力項目３２において、「左右」、「上下」のいずれかの選択項目が選択されたときに、用途に応じて分割数を設定する項目である。領域設定入力項目３３は、「上／左領域分割数」と「下／右領域分割数」の２つの項目がある。「上／左領域分割数」と「下／右領域分割数」は、表示画面上に表示したい各種計測データの表示領域の分割数を任意に設定する場合、例えばマウスなどのクリック操作やキーボードによる直接入力により分割数が入力される。
【００３１】
図１の例では、基本分割方法入力項目３３で「上下」の分割方法が設定されると、「上／左領域分割数」で上領域の分割数が設定され、「下／右領域分割数」で下領域の分割数が設定される。これに対し、基本分割方法入力項目３３で「左右」の分割方法が選択されると、「上／左領域分割数」で左領域の分割数が設定され、「下／右領域分割数」で右領域の分割数が設定される。
【００３２】
領域プレビュー３４は、基本分割方法入力項目３２で分割方法が設定され、領域設定入力項目３３で分割数が設定されると、その設定内容に応じた画面構成による表示形態のプレビューを表示する。このとき、基本分割方法入力項目３２と領域設定項目３３を変更すると、その変更内容に応じて領域プレビュー３４の表示内容も変更される。これにより、おおよその表示形態のプレビューが設定画面上に表示され、ユーザが所望の表示形態で表示されるか否かを事前に確認することができる。そして、ユーザが所望する表示形態と異なる場合には、領域プレビュー３４に表示されるプレビューを確認しながら基本分割方法入力項目３２と領域設定入力項目３３を再度設定し直せば、所望の表示形態に容易に変更することができる。
【００３３】
選択キー３５は、「ＯＫ」、「閉じる」、「適用」、「Ｇｒ順位に整列」など各種項目設定を行う際に、それぞれの項目に対して決定や訂正を行うのに用いられるキーである。また、「全領域に同じ種類を表示する」という項目は、表示したい内容を表示画面上の全てに表示させるか否かをチェックボックスにチェックすることにより表示構成を変更することができる。このキー操作やチェックボックスの選択は、例えばマウスのクリック操作などにより選択することにより行われる。
【００３４】
次に、レイアウト設定入力画面３１を表示させ、計測データを複数の領域に分割して表示手段２４の表示画面２４ａ上に表示する際の画面設定の操作方法についてついて説明する。
【００３５】
まず、図３に示す表示画面２４ａにおいて、設定キー３７を押下する。この設定キー３７が押下されると、図２に示す「データ設定」、「トレンド設定」、「レイアウト変更」、「開始・停止」、「設定管理」の設定項目３６が階層表示される。ここで、設定項目３６の中の「レイアウト変更」を選択すると、図１に示すレイアウト設定入力画面３１が表示される。
【００３６】
次に、このレイアウト設定画面３１において、基本分割方法入力項目３２で分割方法を「分割なし」、「左右」、「上下」のいずれかの項目のチェックボックスにチェックを入れて選択し、さらに選択した分割方法での分割数を領域設定入力項目３３で左右又は上下のそれぞれにおいて設定する。この設定により、領域プレビュー３４には、設定内容に応じた分割領域によるおおよその表示形態がプレビュー表示される。ユーザは、この簡易的にプレビュー表示された表示形態を参照しながら所望の表示形態が得られるように基本分割方法入力項目３２の分割方法や領域設定入力項目３３の分割数を適宜設定変更していく。その際、分割方法と分割数を変更すると、その都度プレビュー表示が更新される。そして、所望の表示形態のプレビュー表示がなされたときに、選択キー３５の「適用」を押下すると、そのときの設定内容に決定される。そして、上述した表示画面２４ａの複数分割による画面設定が完了すると、図３に示すように、領域プレビュー３４に表示されていた表示形態で計測データの表示が行われる。
【００３７】
このように、本例の記録計１では、上述したレイアウト設定入力画面３１を用いることにより、各種計測データの表示をユーザの用途に応じて自由に設定することが可能となる。しかも、レイアウト設定入力画面３１には、各設定項目で設定した内容に基づく表示形態が領域プレビュー３４にプレビュー表示される。
【００３８】
従って、本例の記録計１によれば、計測データを表示画面上に表示するにあたって、所望の分割数で表示領域を設定画面上で設定した際、この設定画面上でおおよその表示形態を視認することができる。これにより、計測データを複数の領域に分割表示する場合の設定が容易に行え、表示構成の自由度が増し、ユーザの作業効率を向上させる効果を奏する。
【００３９】
しかも、設定画面上におおよその表示形態が表示されるので、各計測データが表示画面上のどの位置に表示されているかを事前に確認することができ、同一画面上で所望の表示領域による設定と確認が容易に行え、操作性が向上する。、ユーザは一つのレイアウト設定入力画面３１上において各設定を行うだけで表示形態を事前に確認しながら設定することができる。
【００４０】
ところで、上述した形態では、データ収録装置３が端末装置４とＬＡＮ接続され、端末装置４からブラウザを起動させて記録計が収録した計測データのチャートを含む表示を行う構成としたが、データ収録装置３と端末装置４を一体化した構成としても良い。この場合、データ収録装置３は、図４の端末装置４の構成と概略等しくなり、入出力手段２２からチャンネル毎の各種入力信号を入力し、この入力されデータを記憶手段２３に記憶する。そして、表示手段２４の表示画面２４ａ上に各チャンネル毎の経時変化を示すチャート表示（各チャンネル毎の現在データやスケールの表示を含む）を行えば、ＬＡＮ接続が不要なスタンドアロンの構成の記録計１とすることもできる。
【図面の簡単な説明】
【００４１】
【図１】本発明に係る記録計において表示形態を設定する際のレイアウト設定入力画面の一例を示す図である。
【図２】図１に示すレイアウト設定画面を表示させるための設定画面の一例を示す図である。
【図３】図１のレイアウト設定画面で表示形態を設定した場合の表示例を示す図である。
【図４】本発明に係る記録計の電気的構成を示すブロック図である。
【図５】本発明に係る記録計の概略構成図である。
【図６】従来の複数表示可能なペーパーレス記録計の一例を示す図である。
【符号の説明】
【００４２】
１  記録計
３１  レイアウト設定画面
３２  基本分割方法入力項目
３３  領域設定入力項目
３４  領域プレビュー
３５  選択キー
【図１】
2005134201.tif 000003
【図２】
2005134201.tif 000004
【図３】
2005134201.tif 000005
【図４】
2005134201.tif 000006
【図５】
2005134201.tif 000007
【図６】
2005134201.tif 000008